(57)【要約】【課題】調和空気の吹出しを左右方向へ広げることが可能であって、全体的にムラのない送風を行わせることが可能な空気調和装置の室内機を提供する。【解決手段】室内機２の吹出通路１０は、調和空気を吹き出すための吹出口７に繋がり、右側壁１０ｂおよび左側壁を有する。室内機２は、吹出通路１０の右側に右側壁補助板１０ｆを備え、左側に左側壁補助板を備える。右側壁補助板１０ｆは、右側壁１０ｂの近傍に配置され、左側壁近傍には左側壁補助板が配置されている。右側壁補助板１０ｆおよび左側壁補助板は、吹出口７より吹き出される調和空気を、通常吹出し状態よりも吹出口７の長手方向に広げて吹き出させる広角吹出し状態を形成することができる。【選択図】図１０
2011094877.tif 000002
【特許請求の範囲】
【請求項１】
調和空気を吹き出すための吹出口（７，７Ａ）に接続され、左右の側壁（１０ａ，１０ａＡ、１０ｂ、１０ｂＡ）を有する吹出通路（１０，１０Ａ）と、
前記左右の側壁の少なくとも一方の近傍に配置され、前記吹出口より吹き出される調和空気を、通常吹出し状態よりも前記吹出口の長手方向に広げて吹き出させる広角吹出し状態を形成するための左右側壁補助板（１０ｅ，１０ｅＡ，１０ｆ，１０ｆＡ）とを備え、
前記左右側壁補助板は、前記吹出口の方に面する誘導面（１５ｅ，１５ｅＡ，１５ｆ，１５ｆＡ）を有し、調和空気の吹出し方向に対して、前記通常吹出し状態のときに前記左右の側壁が開いている角度よりも前記広角吹出し状態のときに前記誘導面が開いている角度を大きくすることにより、前記吹出口から吹き出される調和空気の流れを前記誘導面に沿って誘導して前記長手方向に広げて吹き出させる、空気調和装置の室内機。
【請求項２】
前記左右側壁補助板（１０ｅ，１０ｅＡ，１０ｆ，１０ｆＡ）は、前記左右の側壁の両側の近傍に設けられ、前記広角吹出し状態のときに、少なくとも一部が前記通常吹出し状態の前記左右の側壁から前記吹出口の長手方向外側に突出して前記誘導面がハ字形に開いた状態に配置されてなる、請求項１に記載の空気調和装置の室内機。
【請求項３】
前記左右側壁補助板（１０ｅ，１０ｆ）は、前記誘導面の反対側に背面（１８ｅ，１８ｆ）を有し、前記広角吹出し状態のときに、前記背面が面する空間が前記吹出口に連通しないように構成されている、請求項１または請求項２に記載の空気調和装置の室内機。
【請求項４】
前記左右側壁補助板（１０ｅＡ，１０ｆＡ）は、前記誘導面の反対側に背面（１８ｅＡ，１８ｆＡ）を有し、前記広角吹出し状態のときに、前記背面が面する空間が前記吹出口に連通するように構成されている、請求項１から３のいずれかに記載の空気調和装置の室内機。
【請求項５】
前記左右側壁補助板（１０ｅ，１０ｆ）は、断面形状がく字形または逆く字形に折れ曲がって成形されて折れたところを境に前記誘導面（１５ｅ，１５ｆ）に２つの領域（１５ｅａ，１５ｅｂ，１５ｆａ，１５ｆｂ）を持ち、前記２つの領域のうち前記吹出口に面するものを変更可能に構成されている、請求項１から４のいずれかに記載の空気調和装置の室内機。
【請求項６】
前記左右側壁補助板（１０ｅＡ，１０ｆＡ）は、前記通常吹出し状態のときに前記吹出通路内に収まり、前記吹出通路の前記左右の側壁の一部となる、請求項１から５のいずれかに記載の空気調和装置の室内機。
【請求項７】
前記吹出口の周囲に配置される化粧パネル（６ａ）をさらに備え、
前記左右側壁補助板（１０ｅ，１０ｆ）は、前記通常吹出し状態のときに前記化粧パネルに沿った状態になるまで移動可能に構成されている、請求項１から６のいずれかに記載の空気調和装置の室内機。
【請求項８】
前記左右側壁補助板（１０ｅ，１０ｆ）は、前記通常吹出し状態のときに前記化粧パネル（６ａ）と面一になる、請求項７に記載の空気調和装置の室内機。
【請求項９】
前記左右側壁補助板（１０ｅ，１０ｆ）は、回転軸（２０ｅ，２０ｆ）の周りを回動することによって前記通常吹出し状態と前記広角吹出し状態の切り替えを行い、前記回転軸の軸方向から見たときに前記通常吹出し状態にあるときの位置と前記広角吹出し状態にあるときの位置とが部分的に重なるように構成されている、請求項１から８のいずれかに記載の空気調和装置の室内機。
【請求項１０】
前記左右側壁補助板（１０ｅ，１０ｅＡ，１０ｆ，１０ｆＡ）は、前記誘導面（１５ｅ，１５ｅＡ，１５ｆ，１５ｆＡ）が前記吹出口に向かって凸状に湾曲している、請求項１から９のいずれかに記載の空気調和装置の室内機。
【発明の詳細な説明】
【技術分野】
【０００１】
本発明は、空気調和装置の室内機に関し、特に室内に調和空気を吹き出すことにより室内の空気調和を行う空気調和装置の室内機に関する。
【背景技術】
【０００２】
空気調和装置の室内機は、例えば壁掛け型の場合、本体ケーシング内に、室内側熱交換器を備え、クロスフローファンなどの送風ファンにより室内空気を本体ケーシング内に吸い込み、室内側熱交換器を通して本体ケーシング外に吹出口から主に前方に向けて調和空気を吹き出している。そして、吹出口から吹き出される調和空気の風向を制御するために、左右方向の風向を調節する垂直羽根と上下方向の風向を調節する上下風向調整羽根が設けられるのが一般的である。従来の壁掛け型室内機の吹出口は、室内機前面または室内機底面に設けられるのが一般的であり、室内機停止時には上下風向調整羽根によって覆われ、室内機運転時には上下風向調整羽根によって上下方向の風向が調節される。そのため、上下風向調整羽根は、吹出口と同じ長さ、すなわち本体ケーシングの長手方向の長さよりも短い。
【発明の概要】
【発明が解決しようとする課題】
【０００３】
このように室内機前面や室内機底面に吹出口が設けられている場合には、室内機の奥行きがあるために、垂直羽根だけで左右方向に調和空気を吹き出させるとすると、壁掛け型室内機が取り付けられている壁面に近いところには調和空気を送り届けることが難しくなる。吹出口から吹き出される調和空気の風向が壁面に対して所定の角度を持つため、この傾向は室内機からの距離が遠くなればなるほど顕著になる。
【０００４】
そこで、例えば特許文献１（特開平８−１３６０４２号公報）などでは、上下風向調整羽根とは別に左右風向板を設けて、左右風向板で左右方向に調和空気を誘導する。
【０００５】
しかし、特許文献１の壁掛け型室内機のような場合には、吹出口から吹き出される気流と左右風向板で誘導される気流から２つの気流の塊が発生する。気流が２つの塊に分かれるために、気流がない領域や気流が重なる領域ができ、全体として調和空気の気流にムラが発生し易くなる。
【０００６】
本発明の課題は、調和空気の吹出しを左右方向へ広げることが可能であって、全体的にムラのない送風を行わせることが可能な空気調和装置の室内機を提供することにある。
【課題を解決するための手段】
【０００７】
第１発明に係る空気調和装置の室内機は、吹出通路と左右側壁補助板とを備えている。吹出通路は、調和空気を吹き出すための吹出口に接続されている。また、吹出通路は、左右の側壁を有する。左右側壁補助板は、左右の側壁の少なくとも一方の近傍に配置される。そして、左右側壁補助板は、吹出口より吹き出される調和空気を、通常吹出し状態よりも吹出口の長手方向に広げて吹き出させる広角吹出し状態を形成し得るものである。
【０００８】
本発明によれば、左右側壁補助板によって広角吹出し状態を形成すると、通常吹出し状態よりも吹出口の長手方向へ広げて、つまり左右方向へ広げて調和空気を吹き出させることができる。
【０００９】
第２発明に係る空気調和装置の室内機は、第１発明の空気調和装置の室内機であって、左右側壁補助板が、左右の側壁の両側の近傍に設けられる。広角吹出し状態のときに、左右側壁補助板は、少なくとも一部が通常吹出し状態の左右の側壁から吹出口の長手方向外側に突出して、誘導面がハ字形に開いた状態に配置される。
【００１０】
本発明によれば、吹出口の長手方向外側に左右側壁補助板が突出することにより、吹出口から吹き出された調和空気が左右側壁補助板に沿って突出したところまで誘導されるので、吹出口が広がったのと同じ効果を持たせることができる。そして、誘導面がハ字形に開いた状態であることから、乱流などを発生させることなく、誘導面に沿って調和空気を左右に広げ易くなる。
【００１１】
第３発明に係る空気調和装置の室内機は、第１発明または第２発明の空気調和装置の室内機であって、左右側壁補助板が、誘導面の反対側に背面を有する。そして、左右側壁補助板は、広角吹出し状態のときに、背面が面する空間が吹出口に連通しないように構成されている。
【００１２】
本発明によれば、広角吹出し状態のときに吹出口から吹き出されて左右側壁補助板の周囲を流れる調和空気は、吹出口に連通しない左右側壁補助板の背面側を流れることがない。そのため、左右側壁補助板の周囲に流れる調和空気は、ほぼ全て、左右側壁補助板の誘導面に沿って導くことができる。
【００１３】
第４発明に係る空気調和装置の室内機は、第１発明から第３発明のいずれかの空気調和装置の室内機であって、左右側壁補助板が、誘導面の反対側に背面を有する。左右側壁補助板は、広角吹出し状態のときに、背面が面する空間が吹出口に連通するように構成されている。
【００１４】
本発明によれば、広角吹出し状態のときに吹出口から吹き出されて左右側壁補助板の周囲を流れる調和空気は、吹出口に連通しない背面側にも流れる。そのため、左右側壁補助板の周囲に流れる調和空気は、誘導面に沿うだけでなく、左右側壁補助板の背面に沿っても導くことができる。
【００１５】
第５発明に係る空気調和装置の室内機は、第１発明から第４発明のいずれかの空気調和装置の室内機であって、左右側壁補助板の断面形状がく字形または逆く字形に折れ曲がって成形され、左右側壁補助板が誘導面に２つの領域を持つ。２つの領域は、断面形状が折れたところを境にしている。そして、左右側壁補助板は、２つの領域のうち吹出口に面するものを変更可能に構成されている。
【００１６】
本発明によれば、左右側壁補助板の誘導面の２つの領域のいずれを吹出口に面するかを選択することができる。そのため、２つの領域の形状や吹出口に面する角度などを異ならせておくことによって、左右側壁補助板について、異なった機能を選択することができる。
【００１７】
第６発明に係る空気調和装置の室内機は、第１発明から第５発明のいずれかの空気調和装置の室内機であって、左右側壁補助板が、通常吹出し状態のときに吹出通路内に収まる。そして、左右側壁補助板は、吹出通路内に収まって、吹出通路の左右の側壁の一部となる。
【００１８】
本発明によれば、通常吹出し状態のときに、左右側壁補助板が吹出通路内に収まって吹出通路の左右の側壁の一部となるので、左右側壁補助板が調和空気の気流を乱さないように収納することが容易である。また、通常吹出し状態において、左右側壁補助板が外観に現れないようにできる。
【００１９】
第７発明に係る空気調和装置の室内機は、第１発明から第６発明のいずれかの空気調和装置の室内機であって、吹出口の周囲に配置される化粧パネルをさらに備える。左右側壁補助板は、通常吹出し状態のときに、化粧パネルに沿った状態になるまで移動可能に構成されている。
【００２０】
本発明によれば、通常吹出し状態のときに、左右側壁補助板が化粧パネルに沿うように収納でき、左右側壁補助板が調和空気の気流を妨げ難くなる。また、化粧パネルに沿うことにより収納スペースを小さくすることができる。
【００２１】
第８発明に係る空気調和装置の室内機は、第７発明の空気調和装置の室内機であって、左右側壁補助板が、通常吹出し状態のときに化粧パネルと面一になる。
【００２２】
本発明によれば、左右側壁補助板が化粧パネルと面一になることで、化粧パネルの意匠の一部に取り込み易くなる。
【００２３】
第９発明に係る空気調和装置の室内機は、第１発明から第８発明のいずれかの空気調和装置の室内機であって、左右側壁補助板が、回転軸の周りを回動することによって通常吹出し状態と広角吹出し状態の切り替えを行う。左右側壁補助板は、回転軸の軸方向から見たときに、通常吹出し状態にあるときの位置と広角吹出し状態にあるときの位置とが部分的に重なるように構成されている。
【００２４】
本発明によれば、通常吹出し状態と広角吹出し状態の切り替えのための移動前後の位置が重なるように構成されているため、左右側壁補助板の移動範囲を小さくできる。
【００２５】
第１０発明に係る空気調和装置の室内機は、第１発明から第９発明のいずれかの空気調和装置の室内機であって、左右側壁補助板の誘導面が吹出口に向かって凸状に湾曲している。
【００２６】
本発明によれば、誘導面が吹出口に向かって凸状に湾曲しているため、誘導面が平面で有る場合に比べて、吹出口から吹き出される調和空気を吹出口から離れるに従って、より大きく左右方向に曲げるものとなる。
【発明の効果】
【００２７】
第１発明の空気調和装置の室内機においては、左右側壁補助板によって、調和空気の吹出しを左右方向へ広げることが可能であって、全体的にムラのない調和空気の送風を行わせることができる。
【００２８】
第２発明の空気調和装置の室内機においては、左右側壁補助板の配置よって、調和空気を均一に広げ易くなる。
【００２９】
第３発明の空気調和装置の室内機においては、広角吹出し状態において左右側壁補助板の誘導面に沿って左右に広がる調和空気の制御が容易になる。
【００３０】
第４発明の空気調和装置の室内機においては、左右側壁補助板の背面に沿ってより多くの調和空気を左右に広げ易くなる。
【００３１】
第５発明の空気調和装置の室内機においては、左右側壁補助板による制御のバリエーションを増やすことができる。
【００３２】
第６発明の空気調和装置の室内機においては、左右側壁補助板を設けたにも拘らず、通常吹出し状態において制御が容易でかつ、すっきりとした機能美を有する意匠を提供することができる。
【００３３】
第７発明の空気調和装置の室内機においては、通常吹出し状態における調和空気の気流の制御が行い易くなるとともに、室内機のコンパクト化が容易になる。
【００３４】
第８発明の空気調和装置の室内機においては、左右側壁補助板を化粧パネルの意匠に一部とすることで、左右側壁補助板と化粧パネルとの境界が見分け難くなり、外観の美しい室内機を提供することができる。
【００３５】
第９発明の空気調和装置の室内機においては、左右側壁補助板の移動範囲を小さくすることで、室内機のコンパクト化が容易になる。
【００３６】
第１０発明の空気調和装置の室内機においては、左右側壁補助板を小型化しても効率よく気流を広げることができる。
【図面の簡単な説明】
【００３７】
【図１】第１実施形態の空気調和装置の概要を示す図。
【図２】第１実施形態の室内機の正面図。
【図３】第１実施形態の室内機の側面図。
【図４】吹出通路とその周辺の構成を説明するための斜視図。
【図５】吹出通路とその周辺の構成を説明するための斜視図。
【図６】右側壁補助板の周辺の概要を説明するための室内機の部分拡大斜視図。
【図７】右側壁補助板に周辺の概要を説明するための室内機の部分拡大斜視図。
【図８】右側壁補助板の駆動について説明するための部分拡大斜視図。
【図９】右側壁補助板の駆動について説明するための部分拡大斜視図。
【図１０】右側壁補助板について説明するための部分破断斜視図。
【図１１】（ａ）右側壁補助板とその周辺の断面図。（ｂ）右側壁補助板とその周辺の断面図。（ｃ）左側壁補助板と右側壁補助板の動作状態を説明するための断面図。
【図１２】第１実施形態の室内機の斜視図。
【図１３】水平羽根の動作について説明するための部分破断斜視図。
【図１４】水平羽根の動作について説明するための部分破断斜視図。
【図１５】水平羽根の動作について説明するための部分破断斜視図。
【図１６】水平羽根の動作について説明するための部分破断斜視図。
【図１７】第１実施形態の制御系統を説明するためのブロック図。
【図１８】（ａ）第１実施形態の室内機が吹き出す気流を説明するための正面図。（ｂ）第１実施形態の室内機が吹き出す気流を説明するための側面図。（ｃ）第１実施形態の室内機が吹き出す気流を説明するための底面図。
【図１９】（ａ）第１実施形態の室内機が吹き出す気流を説明するための正面図。（ｂ）第１実施形態の室内機が吹き出す気流を説明するための側面図。（ｃ）第１実施形態の室内機が吹き出す気流を説明するための底面図。
【図２０】（ａ）第１実施形態の室内機が吹き出す気流を説明するための正面図。（ｂ）第１実施形態の室内機が吹き出す気流を説明するための側面図。（ｃ）第１実施形態の室内機が吹き出す気流を説明するための底面図。
【図２１】（ａ）従来の室内機が吹き出す気流を説明するための正面図。（ｂ）従来の室内機が吹き出す気流を説明するための側面図。（ｃ）従来の室内機が吹き出す気流を説明するための底面図。
【図２２】（ａ）第１実施形態の室内機が吹き出す気流を説明するための正面図。（ｂ）第１実施形態の室内機が吹き出す気流を説明するための側面図。（ｃ）第１実施形態の室内機が吹き出す気流を説明するための底面図。
【図２３】（ａ）第１実施形態の室内機が吹き出す気流を説明するための正面図。（ｂ）第１実施形態の室内機が吹き出す気流を説明するための側面図。（ｃ）第１実施形態の室内機が吹き出す気流を説明するための底面図。
【図２４】第１実施形態の室内機の正面図。
【図２５】第１実施形態の室内機の斜視図。
【図２６】第２実施形態の室内機の部分拡大斜視図。
【図２７】第２実施形態の室内機の部分拡大斜視図。
【図２８】右側壁補助板について説明するための部分拡大斜視図。
【図２９】右側壁補助板について説明するための部分拡大斜視図。
【図３０】吹出通路とその周辺の構成を説明するための斜視図。
【図３１】吹出通路とその周辺の構成を説明するための斜視図。
【図３２】（ａ）右側壁補助板とその周辺の断面図。（ｂ）右側壁補助板とその周辺の断面図。
【発明を実施するための形態】
【００３８】
＜第１実施形態＞
＜空気調和装置の構成の概要＞
この発明の第１実施形態に係る空気調和装置１は、図１に示すように、室内の壁Ｗに取り付けられる室内機２と、室外に設置される室外機３とを備えている。室内機２と室外機３とは、冷媒配管、加湿ホース、伝送線及び通信線などを集合した集合連絡配管４によって接続される。
【００３９】
この空気調和装置１は、熱交換を行って室内の空気調和を行うために冷媒回路を備えている。冷媒回路は、例えば、室内機２の室内側熱交換器（冷房時は蒸発器／暖房時は凝縮器として機能する）及び、室外機３の圧縮機と室外側熱交換器（冷房時は凝縮器／暖房時は蒸発器として機能する）と膨張弁などが集合連絡配管４の中の冷媒配管で連結されて構成される。また、空気調和装置１を制御するために、リモートコントローラ５などの制御端末から指令を受けて室内機２のファンモータなどの室内側機器を制御するための電装品箱が室内機２に設けられ、室外機３のファンモータなどの室外側機器を制御するための電装品箱が室外機３に設けられている。そして、室内機２の電装品箱と室外機３の電装品箱とが集合連絡配管４の中を通る伝送線で接続されている。
【００４０】
＜室内機の構成の概観＞
図１に示すように、室内機２は、ケーシング本体６の底面２ｅに吹出口７が形成されている。図２は、本発明の第１実施形態に係る空気調和装置の室内機の正面図である。図２に示すように、室内機２は、吹出口７から調和空気を吹き出すため、室内空気を吸込む吸込口８をケーシング本体６の天面２ｄに備えている。
【００４１】
図３は室内機の右側面図である。図３に示すように、室内機２のケーシング本体６の内部には、側面視においてケーシング本体６の略中央の背面側寄りにクロスフローファン９が設けられる。正面視においては、図２に示すように、このクロスフローファン９は、吸込口８と同じ程度の長さを有し、室内機２（ケーシング本体６）の長手方向ＤｒLに沿って長く水平に配置されている。
【００４２】
また、ケーシング本体６内のクロスフローファン９の上流側には、側面視において、逆Ｖ字形状をした室内熱交換器（図示省略）が配置され、クロスフローファン９に吸込まれる前に室内熱交換器を室内空気が通過することによって空気調和が行われる。このようにケーシング本体６の長手方向に長く延びるクロスフローファン９により室内空気の吸い込みと調和空気の吹き出しとを行って効率良く室内の空気調和を実施させるため、室内熱交換器もケーシング本体６の長手方向に長く延びる形状に形成され、長く延びる吸込口８と吹出口７との間に配置される。室内熱交換器の上流にはエアフィルタ（図示省略）が設けられており、クロスフローファン９に導かれる調和空気にエアフィルタの隙間より大きな埃は完全に取り除かれる。
【００４３】
図１、図２及び図３に示されているように、室内機２は、ケーシング本体６の前面２ａ、左側面２ｂ、右側面２ｃ、天面２ｄおよび底面２ｅ、すなわち背面２ｆを除く５つの面が化粧パネル６ａで覆われている。なお、室内機２の左側面２ｂおよび右側面２ｃを結ぶ方向すなわち室内機２（吹出口７）の長手方向ＤｒＬに沿う方向を左右方向と呼ぶ場合があり、正面視における右手が右方向、正面視における左手が左方向になる。また、室内機２の背面２ｆから前面２ａ（正面）に向かう方向を前方といい、天面２ｄから底面２ｅの方に向かう方向を下方という。
【００４４】
図１には、吹出口７に設けられている水平羽根１１が開いている状態が示されており、図３には水平羽根１１が閉じている状態が示されている。室内機２は、運転停止時に水平羽根１１が閉じて吹出口７が塞がれ、運転時に水平羽根１１が開いて吹出口７が開放される。なお、以下の説明において、水平羽根１１が吹出口７を塞ぐという表現は吹出口７と水平羽根１１の間に調和空気を吹き出す隙間がない状態の表現に用い、水平羽根１１が吹出口７を覆うという表現は水平羽根１１が閉じる動作に説明の重点を置いて調和空気を吹き出す隙間がある場合もない場合も許容する表現として用いる。
【００４５】
図１に示す室内機２では、前面２ａから室内空気の吸い込みは行われず、室内機２はもっぱらケーシング本体６の天面２ｄの吸込口８から室内空気の吸い込みを行っている。そのため、室内機２の内部における室内空気の循環は、室内機２の天面２ｄの側から室内機２の底面２ｅの側に向けて行われる。
【００４６】
＜吹出通路＞
図２、図３、図４および図５に示されているように、クロスフローファン９から吹出口７に至る、ディフューザー構造の吹出通路１０が設けられている。吹出通路１０には、左側壁１０ａ、右側壁１０ｂ、後方案内面１０ｃ及び前方案内面１０ｄがある。吹出通路１０の後方案内面１０ｃは、側面視において、クロスフローファン９の側に曲率中心を持つ滑らかな曲線を描いており、下方に向かうに従って曲率半径が大きくなる。そして、後方案内面１０ｃと前方案内面１０ｄとの間隔が吹出口７に近づくほど大きくなり、吹出通路１０の開口が吹出口７に近づくほど大きくなる。また、クロスフローファン９が、右側面から見て、時計回りに回転して送風し、その中心軸が背面２ｆの方に寄って配置されているので、吹出通路１０は、底面２ｅの前方側に向けて斜めに形成される。そのため、吹出通路１０から吹出口７に向かう調和空気は、下方に向く方向ベクトルと前方に向く方向ベクトルとを有し、乱れの少ない層流になる。
【００４７】
図４に示すように、室内機２は、吹出口７の左右に、左側壁１０ａと右側壁１０ｂを有し、これら左側壁１０ａと右側壁１０ｂおよび吹出口７の近傍に左側壁補助板１０ｅと右側壁補助板１０ｆとを備えている。左側壁補助板１０ｅと右側壁補助板１０ｆは、移動し得るように構成されている。図４には、左側壁補助板１０ｅと右側壁補助板１０ｆが吹出口７に対して略平行に位置しているところが示されている。左側壁補助板１０ｅと右側壁補助板１０ｆが図４の状態から移動してハ字形に開いているところが図５に示されている。
【００４８】
図４の状態では、左側壁補助板１０ｅの一辺１４ｅと右側壁補助板１０ｆの一辺１４ｆが、吹出通路１０の左側壁１０ａと右側壁１０ｂに平行に配置され、吹出口７の近傍に位置している。このとき吹出通路１０の幅Ｗ１は、左側壁１０ａと右側壁１０ｂの幅によって規定される。一方、図５に示す状態は、左側壁補助板１０ｅと右側壁補助板１０ｆがハ字形に開くだけでなく、左側壁補助板１０ｅの一辺１４ｅと右側壁補助板１０ｆの一辺１４ｆが吹出通路１０の奥に移動する。そして、左側壁補助板１０ｅの一辺１４ｅと右側壁補助板１０ｆの一辺１４ｆから吹出口７までの間の左側壁と右側壁は、左側壁補助板１０ｅの外面１５ｅと右側壁補助板１０ｆの外面１５ｆによって構成される。そのため、吹出口７の幅Ｗ２が広がる。つまり、図４の状態の吹出口７の幅Ｗ１＜図５の状態の吹出口７の幅Ｗ２、という関係が成り立つ。吹出口７の幅Ｗ２が広がっている図５の状態の方が、調和空気を左右方向へ広げて吹出し易くなる。
【００４９】
また、図５のように、ハ字形に左側壁補助板１０ｅと右側壁補助板１０ｆとが開くことによって、左側壁補助板１０ｅの外面１５ｅと右側壁補助板１０ｆの外面１５ｆとに沿って調和空気が吹き出される。それにより、左右方向に大幅に気流の幅を広げて広角に吹き出させることができる。
【００５０】
図６および図７は、それぞれ、右側壁補助板１０ｆが化粧パネル６ａと面一になるように収納されている状態と、ハ字形に開いたときの右側壁補助板１０ｆの状態を表している。図６のように、右側壁補助板１０ｆが吹出口７に略平行な状態にあるときは、吹き出される調和空気の気流のうち右側壁１０ｂに近い気流３０ｆは、垂直羽根１２の傾きと右側壁１０ｂとの影響を受けて吹き出される。図６の場合には、垂直羽根１２がほぼ鉛直方向を向いているので、気流３０ｆは吹出口７を含む面に対して左右に傾かずに鉛直方向に吹き出される。一方、図７の場合には、右側壁１０ｂに近い気流３０ｆは、右側壁補助板１０ｆの外面１５ｆに沿って吹き出される。それにより、吹出口７から吹き出される調和空気の気流は左右方向に広げられて広角に吹き出される。
【００５１】
図８、図９、図１０および図１１を用いて、右側壁補助板１０ｆの移動について説明する。なお、左側壁補助板１０ｅについては、説明を省略するが、右側壁補助板１０ｆと左右対称の形状で左右対称に位置に取り付けられている。
【００５２】
右側壁補助板１０ｆは、図１０および図１１に示すように、断面形状がく字形をしている。従って、左側壁補助板１０ｅは、右側壁補助板１０ｆとは対称であるから、断面形状が逆く字形になる。右側壁補助板１０ｆは、断面く字形をしているため、吹出口７に面し得る、第１の領域１５ｆａと第２の領域１５ｆｂの２つの領域を有している。そして、右側壁補助板１０ｆが回転軸２０ｆを中心に回動するよう構成されているため、図１１（ａ）に示す状態と図１１（ｂ）に示す状態を取ることができる。例えば、図１１（ａ）の状態から右側壁補助板１０ｆが回転軸２０ｆの周りを時計回りに回転すると図１１（ｂ）の状態になる。左側壁補助板１０ｅも、断面逆く字形をしているため、吹出口７に面し得る、第１の領域１５ｅａと第２の領域１５ｅｂの２つの領域を有している（図１１（ｃ）参照）。
【００５３】
図１１（ａ）に示す状態は、右側壁補助板１０ｆの外面１５ｆの第１の領域１５ｆａが吹出口７に面して、第１の領域１５ｆａが吹出通路１０の右側壁１０ｂに対して面一になっている。そのため、吹出通路１０の右側壁１０ｂに沿って流れてきた調和空気の気流３０ｆは、真直ぐ前方へ吹き出される。また、図１１（ａ）の状態では、化粧パネル６ａに沿って右側壁補助板１０ｆが収納されて、右側壁補助板１０ｆが化粧パネル６ａと面一になっている。
【００５４】
図１１（ｂ）に示す状態は、右側壁補助板１０ｆの第２の領域１５ｆｂが吹出口７に面して、第２の領域１５ｆｂが右側壁１０ｂから吹出口７の長手方向外側に突出した状態になっている。そのため、吹出通路１０の右側壁１０ｂに沿って流れてきた調和空気の気流３０ｆは、右側壁補助板１０ｆの第２の領域１５ｆａに沿って右へ誘導される。また、図１１（ｂ）の状態では、化粧パネル６ａの側に右側壁補助板１０ｆの第１の領域１５ｆａが収納され、調和空気の気流３０ｆに悪影響を与えないようになっている。第２の領域１５ｆｂは、そのために、回転軸２０ｆとは反対側の方に凸に湾曲しており、緩やかに気流３０ｆを曲げることができる。また、このとき、右側壁補助板１０ｆの背面１８ｆが面する空間は、吹出口７に連通しないように構成されている。そのため、右側壁補助板１０ｆの背面１８ｆの側には、吹出口７から吹き出される調和空気が流れない。図５に示すように、左側壁補助板１０ｅの背面１８ｅの側についても、同様に吹出口７から吹き出される調和空気は流れない。
【００５５】
図１１（ｃ）には、図１１（ａ）の状態にある右側壁補助板１０ｆを実線で示し、図１１（ｂ）の状態にある右側壁補助板１０ｆを点線で示して、両状態を重ねて描写している。図１１（ｃ）から分かるように、回転軸２０ｆの軸方向から見たときに両状態にある右側壁補助板１０ｆが部分的に重なっている。この重なっている部分が斜線部２１である。これは、右側壁補助板１０ｆの二辺１６ｆ，１７ｆを結ぶ直線２２よりも右側壁補助板１０ｆの側に、回転軸２０ｆを設けたことによる。回転軸２０ｆが右側壁補助板１０ｆに近づけて設けられているために、斜線部２１で重なるほど、右側壁補助板１０ｆが回転してできる軌跡の半径が小さくなる。
【００５６】
この回転軸２０ｆは、図８および図９に示すモータ２５ｆによって駆動される。例えば、右側壁補助板１０ｆには、モータ２５ｆが力を発生していないときには、図８の状態に戻るように付勢されている。そして、モータ２５ｆによって時計回りのトルクが発生すると、図９に示すように右側壁補助板１０ｆが開き、第２の領域１５ｆａが吹出口７に面する。第２の領域１５ｆａが吹出口７に面した状態で右側壁補助板１０ｆの一部がケーシング本体６に突き当たって停止する。モータ２５ｆの電源が切られるまでは、モータ２５ｆで力が発生しているので付勢力によって図８の状態に戻ることはないが、モータ２５ｆの電源が切られると付勢力によって図８の状態から図９の状態に戻る。右側壁補助板１０ｆのモータや左側壁補助板１０ｅのモータは、制御部によって制御される。
【００５７】
＜水平羽根と垂直羽根による気流の調節＞
図１に示すように、吹出口７の前方には、水平羽根１１が設けられる。また、図１２に示すように、吹出通路１０には、垂直羽根連結棒１３によって連結された複数枚の垂直羽根１２が揺動可能に取り付けられている。風向装置は、これら水平羽根１１と垂直羽根１２とを備えて構成されており、さらに水平羽根１１と垂直羽根１２を駆動するために後述の駆動機構を備える。そして、駆動機構の動作は後述する制御部により制御される。制御部の制御の下で水平羽根１１と垂直羽根１２が種々の姿勢をとることによって、調和空気の多種多様な気流が発生する。
【００５８】
室内機２は、この水平羽根１１によって室内機２の上下方向の風向きを調節することができる。また、複数の垂直羽根１２の面１２ａは、ケーシング本体６の長手方向に対して垂直な状態を中心にして左右に揺動する。これら垂直羽根１２の面１２ａは、揺動することにより、あるいは揺動した後に任意の角度で止まることにより、調和空気の左右方向についての吹出し方向を調整する。
【００５９】
図１３、図１４、図１５および図１６に、水平羽根１１の異なる４つの状態を示している。後述するように、左側壁補助板１０ｅおよび右側壁補助板１０ｆは、吹出口７から突出するように移動するので、水平羽根１１が吹出通路１０内や吹出口７の近傍で角度だけを変化させると、突出した左側壁補助板１０ｅおよび右側壁補助板１０ｆが水平羽根に衝突して上手く動作させることができなくなる。そのため、水平羽根１１は、吹出口７を塞いでいる状態から開放するときに前方へ迫出すような移動を行うように構成されている。そして、水平羽根１１は、移動して、図１３、図１４、図１５および図１６に示す４つの状態を取ることができるが、これら４つの状態への移行途中の状態の姿勢を維持することもできる。
【００６０】
図１３に示す状態は、水平羽根１１が閉じて水平羽根１１により吹出口７が塞がれている状態である。図１４、図１５および図１６に示す状態は、水平羽根１１が開いて吹出口７が開放されている状態であるが、図１４、図１５および図１６に示す状態では水平羽根１１の姿勢が異なっている。
【００６１】
図１４に示す状態は、水平羽根１１が迫出し、水平羽根１１の前端部１１ａが後端部１１ｂより上方に上がって、吹出口７に対して水平羽根１１が略平行になっている。図１５に示す状態は、水平羽根１１が迫出し、水平羽根１１の前端部１１ａが後端部１１ｂより下がって、水平羽根１１が前端部１１ａの方から前方に向かって大きく開口している。図１６に示す状態は、水平羽根１１が迫出し、水平羽根１１の前端部１１ａが後端部１１ｂより上がって、水平羽根１１が、ほぼ鉛直に立っており、水平羽根１１の後端部１１ｂの方から下方に向かって大きく開口している。
【００６２】
図１４、図１５および図１６に示す状態の姿勢を水平羽根１１に取らせるために、水平羽根駆動機構は、図１２に示されているように、中間支持アーム４０、左支持アーム４１および右支持アーム４２を備えている。また、水平羽根駆動機構の中間支持アーム４０は、回動アーム４０ａと揺動アーム４０ｂと可動軸４０ｃと連結部４０ｄを含む。中間支持アーム４０、左支持アーム４１および右支持アーム４２は、ケーシング本体６の長手方向の中央とその左右に配置され、中間支持アーム４０が後端部１１ｂに近いところに取り付けられ、左支持アーム４１および右支持アーム４２が前端部１１ａに近いところに取り付けられ、水平羽根１１を支えている。
【００６３】
左支持アーム４１および右支持アーム４２は、ラックアンドピニオン機構（図示省略）によって前方に向かって斜め下方に伸びるように移動（迫出し）したり、それとは逆の方向に移動して収納されたりする。これら中間支持アーム４０、左支持アーム４１および右支持アーム４２は、水平羽根１１と連結される連結部４０ｄ，４１ａ，４２ａが軸支されるのではなく、ボールジョイント（図示省略）で水平羽根１１に連結されるため、水平羽根１１を支持した状態で前後への回動だけでなく、中間支持アーム４０の連結部４０ｄを中心とする左右の回動にも対応できる。
【００６４】
中間支持アーム４０の回動アーム４０ａは、ケーシング本体６に連結される一端側が駆動軸（図示省略）により軸支されており、駆動軸の周りに回動可能である。回動アーム４０ａの他方端側と揺動アーム４０ｂの一端側とは可動軸４０ｃにより連結されており、揺動アーム４０ｂは、可動軸４０ｃの周りで揺動可能である。また、揺動アーム４０ｂの他方端側がボールジョイント（図示省略）の連結部４０ｄにより水平羽根１１に支持されており、揺動アーム４０ｂは、連結部４０ｄの周りに揺動可能である。
【００６５】
連結部４０ｄにより水平羽根１１が連結されている位置は、左支持アーム４１および右支持アーム４２を連結している連結部４１ａ、４２ａを結ぶ軸が前端部１１ａに近いのに対し、後端部１１ｂに近い。このように左支持アーム４１および右支持アーム４２の連結部４１ａ，４２ａを結ぶ軸と揺動アーム４０ｂの連結部４０ｄの位置が水平羽根１１の前後方向にずれているため、回動アーム４０ａを回動させることによって水平羽根１１を回動させることができる。また、揺動アーム４０ｂが揺動することにより、回動アーム４０ａの一端側の駆動軸と揺動アーム４０ｂの連結部４０ｄとの距離を変化させることができる。風向装置は、ラックアンドピニオン機構による中間支持アーム４０，左支持アーム４１および右支持アーム４２の迫出し量の調整と、駆動軸による水平羽根１１の回転角度の調整とによって、水平羽根１１の平行移動と回転移動を組み合わせることにより、水平羽根１１に種々の姿勢を取らせることができる。
【００６６】
左支持アーム４１および右支持アーム４２の移動量が同じになるようにラックアンドピニオン機構によって駆動され、左支持アーム４１と右支持アーム４２の移動に対して回動アーム４０ａの回動が追随させられることにより、水平羽根１１が平行に移動される。それにより、例えば、図１４に示すように、水平羽根１１が水平になる姿勢を取る。図１４の姿勢よりもさらに左支持アーム４１と右支持アーム４２を伸ばし、中間支持アーム４０を右側面２ｃの方から見て反時計回りに回転させると、図１５に示すように前端部１１ａが下がって前方に開いた姿勢を水平羽根１１に取らせることができる。図１４の姿勢よりもさらに左支持アーム４１と右支持アーム４２を伸ばし、中間支持アーム４０を右側面２ｃの方から見て時計回りに回転させると、図１６に示すように後端部１１ｂが下がって下方に開いた姿勢を水平羽根１１に取らせることができる。また、左支持アーム４１と右支持アーム４２を伸ばす量（移動量）を異ならせることにより、水平羽根１１を左または右に傾けることができる。
【００６７】
空気調和装置の風向装置は、以上説明した水平羽根１１と垂直羽根１２およびそれらを駆動するための水平羽根駆動機構に加え、垂直羽根駆動機構を備えている。垂直羽根駆動機構は、垂直羽根１２を駆動するため、上述の垂直羽根連結棒１３を有している（図１２参照）。垂直羽根１２は、２本の垂直羽根連結棒１３で連結されているため、左側面２ｂに近いグループＡと右側面２ｃに近いグループＢの２つのグループに分けることができる。揺動方向は、異なる垂直羽根連結棒１３に連結されているグループＡとグループＢで独立しており、例えばグループＡが右に傾いているときに、グループＢが左に傾くことがある。また、グループＡとグループＢにおいて、例えば同じ方向に傾いているときであっても傾く角度を異ならせることができる。当然、グループＡとグループＢに属する垂直羽根１２を同じ向きに揺動させることもできる。
【００６８】
＜制御部＞
上述の水平羽根１１と垂直羽根１２の吹出し方向の調整により、またクロスフローファン９の風速の調整により、室内の形態や室内の状況に対応した適切な空気調和のための調和空気の気流を発生することができる。
【００６９】
これら水平羽根１１や垂直羽根１２やクロスフローファン９などの制御を行うために、図１７に示すような制御部５０を備えている。制御部５０は、室内機２の各機器を制御するための室内制御部５１と、室外機の各機器を制御するための室外制御部５２とを備えており、室内制御部５１と室外制御部５２との間を信号線５３で接続して構成されている。
【００７０】
室外制御部５２には、圧縮機５４、室外電動膨張弁５５、四路切換弁５６、室外ファン５７、複数の圧力センサ５８および複数の温度センサ５９などが接続されている。室外制御部５２は、例えば圧縮機５４の回転数を制御することにより冷媒回路の冷媒循環量を制御し、室外電動膨張弁５５の開度を制御することにより冷媒回路を流れる冷媒の圧力を制御する。室外制御部５２は、四路切換弁５６を切り換えることにより、冷凍回路に流れる冷媒の循環経路の切換を行って暖房運転と冷房運転の切換などの運転切換の制御を行う。また、室外制御部５２は、室外ファン５７の回転数を制御することにより、室外熱交換器における熱交換効率の制御などを行う。そのため、冷媒回路や各機器に設置された複数の圧力センサ５８や温度センサ５９などによって検知された各部の温度や圧力を、室外制御部５２は、制御のための判断に用いている。
【００７１】
一方、室内制御部５１には、送受信部６０、水平羽根駆動機構６１、垂直羽根駆動機構６２、クロスフローファン用モータ６３、温度センサ６４および表示部６５などが接続されている。室内制御部５１は、制御のために、使用者のリモートコントローラなどと送受信部６０との間でデータの送受信を行っている。室内制御部５１は、室内の状態や使用者の設定に従って、水平羽根駆動機構６１、垂直羽根駆動機構６２およびクロスフローファン用モータ６３の制御を行い、水平羽根１１および垂直羽根１２の角度や揺動の状態、およびクロスフローファン用モータ６３の回転数を調整し、調和空気の吹出し方向や吹き出す強さなどを変更することができる。室内制御部５１は、冷媒回路や各機器に設置された複数の温度センサ６４などによって検知された各部の温度などの状態情報を、制御のための判断に用いている。また、室内制御部５１は、表示部６５を介して、室内機２の設定状態や環境などを使用者に知らせる。
【００７２】
室内制御部５１が制御する水平羽根駆動機構６１は、水平羽根１１を迫出させたり収納したりする駆動に加え、水平羽根１１を左または右に傾けるような駆動ができるように、左支持アーム駆動部６６と右支持アーム駆動部６７とを備えている。そして、室内制御部５１は、左支持アーム駆動部６６と右支持アーム駆動部６７とを独立して駆動させることができる。また、中間支持アーム４０を駆動するために中間支持アーム駆動部６８を備えている。室内制御部５１は、水平羽根１１を平行移動させるときには、左支持アーム４１の移動量と右支持アーム４２の移動量とが同じになるように制御し、水平羽根１１が平行移動するように中間支持アーム駆動部６８により中間支持アーム４０を左支持アーム４１と右支持アーム４２に追従させる。水平羽根１１を左右のいずれかに傾けるときには、左支持アーム４１の移動量と右支持アーム４２の移動量とが異なるように制御する。
【００７３】
水平羽根１１が吹出口７を塞いだ状態から開放して、水平羽根１１を所望の状態にするときには、室内制御部５１は、まず、左支持アーム駆動部６６と右支持アーム駆動部６７により左支持アーム４１と右支持アーム４２を移動して水平羽根１１を平行に迫出させる。このとき、中間支持アーム駆動部６８は、水平羽根１１が平行移動するように、迫出す動作に追従して回動アーム４０ａを回動させる。それにより、水平羽根１１の迫出しによって塞がれていた吹出口７は開放されるが、水平羽根１１が吹出口７の周囲に強く擦れずにスムーズに開放される。
【００７４】
次に、左支持アーム４１および右支持アーム４２を固定した状態にするとともに、中間支持アーム駆動部６８により、回動アーム４０ａを回動させ、左支持アーム４１の連結部４１ａと右支持アーム４２の連結部４２ａとを結ぶ軸の周りで水平羽根１１を回動させる。以上のような平行移動と回動移動の２ステップの操作で水平羽根１１を所望の状態に移動することができる。
【００７５】
なお、上述のような２ステップの操作を並行して行わせ、平行移動させつつ回動移動をさせることにより１ステップで水平羽根１１を所望の状態に移動させるように、室内制御部５１が制御することもできる。
【００７６】
＜側壁補助板と調和空気の気流＞
（冷房運転時の吹出し）
図１８、図１９、図２０および図２１を用いて、冷房運転時の調和空気の気流を説明する。図１８（ａ）、図１９（ａ）、図２０（ａ）および図２１（ａ）は正面図、図１８（ｂ）、図１９（ｂ）、図２０（ｂ）および図２１（ｂ）は右側面図、図１８（ｃ）、図１９（ｃ）、図２０（ｃ）および図２１（ｃ）は底面図である。また、図１８、図１９、図２０および図２１において矢印で示されているのが気流である。なお、図２１は、比較のための従来の空気調和装置の気流を説明するための図であり、風向羽根によって左右方向に調和空気を吹き出すタイプの室内機を示している。
【００７７】
図１８に示されている気流３１は、冷房運転時において、前端部１１ａが後端部１１ｂよりも少し下に位置するように水平羽根１１を開き、左側壁補助板１０ｅと右側壁補助板１０ｆを閉じ、垂直羽根１２を鉛直方向に対して垂直にした状態で発生しているものである。
【００７８】
図１９に示されている気流３２は、冷房運転時において、図１８の状態と同様に水平羽根１１を開き、左側壁補助板１０ｅと右側壁補助板１０ｆを閉じ、垂直羽根１２を鉛直方向に対して傾けた状態で発生しているものである。
【００７９】
図２０に示されている気流３３は、冷房運転時において、図１８の状態と同様に水平羽根１１を開き、左側壁補助板１０ｅと右側壁補助板１０ｆを開き、垂直羽根１２を鉛直方向に対して傾けた状態で発生しているものである。
【００８０】
図１８の気流３１は、真直ぐ前方に向かっており、図１８の状態では前方に向けて調和空気を強く送風することができる。図１８の気流３１に対して、図１９の気流３２は、垂直羽根１２のグループＡとグループＢが異なる向きに傾くことにより左右方向（水平羽根１１の長手方向）に広がっている。しかし、図１９（ｃ）を見れば分かるように、左側面２ｂおよび右側面２ｃが面する領域には、吹出口７から吹き出された調和空気の気流が発生しない。
【００８１】
一方、図２０の気流３３は、左側壁補助板１０ｅおよび右側壁補助板１０ｆがハ字形に開いていることにより、左側面２ｂおよび右側面２ｃが面する方に調和空気の気流が発生する。図２０の気流３３には、左側面２ｂが面する方向から前面２ａの面する方向を経て右側面２ｃの面する方向に至る前方の１８０度全体に渡って切れ目がない。それに対し、図２１に示す従来の側方風向板２１４で左右方向に調和空気の気流を発生させると、斜線の領域２４０に気流の発生がほとんどなくなる。これは、側方風向板２１４が調和空気の気流を遮るため、図２１の気流２３０が無い部分を生じるからである。
【００８２】
（暖房運転時の吹出し）
図２２を用いて暖房運転の吹出しについて説明する。図２２（ａ）は正面図、図２２（ｂ）は右側面図、図２２（ｃ）は底面図である。上述の冷房運転時の吹出しの説明において左側壁補助板１０ｅと右側壁補助板１０ｆを用いる場合と用いない場合の違いについては説明したので、暖房運転時の吹出しでは従来と同じ左側壁補助板１０ｅと右側壁補助板１０ｆを用いない場合の暖房運転時の吹出しについては説明を省略する。
【００８３】
図２２に示されている気流３５は、暖房運転時において、前端部１１ａが後端部１１ｂのより上に位置するように水平羽根１１を開き、左側壁補助板１０ｅと右側壁補助板１０ｆを開き、垂直羽根１２を鉛直方向に対して傾けた状態で発生しているものである。
【００８４】
図２２（ａ）を見ると、気流３５として、左側壁補助板１０ｅの外面１５ｅに沿って左側面２ｂの面する方向へ向かう気流３５ｃが生じており、右側壁補助板１０ｆの外面１５ｆに沿って右側面２ｃの面する方向へ向かう気流３５ｄが生じている。
【００８５】
そして、図２２（ｃ）を見ると、前面２ａの下方に向かう気流と左側面２ｂが面する方向に向かう気流に誘導されて斜め前方に向かう気流３５ｄが生じる。また、前面２ａの下方に向かう気流と右側面２ｃが面する方向に向かう気流に誘導されて斜め前方に向かう気流３５ｅが生じる。そのため、水平羽根１１の角度と左側壁補助板１０ｅと右側壁補助板１０ｆの角度を調節することにより、室内機２の左側面２ｂの面する方向、右側面２ｃの面する方向、前面２ａの面する方向およびそれらの間の方向の吹き出される調和空気の量を調節することができる。
【００８６】
（無感気流モード時の吹出し）
以下の説明において、人体が気流を感じ難いように気流を非常に弱くする調和空気の吹出しモードを無感気流モードという。図２３（ａ）には無感気流モード時の室内機の正面図を示し、図２３（ｂ）には室内機の右側面図を示し、図２３（ｃ）には室内機の底面図を示している。無感気流モード時には、水平羽根１１の前端部１１ａが後端部１１ｂよりもやや上がり、水平羽根１１の上面が吹出口に対向する状態になっている。つまり、無感気流モードでの水平羽根１１の姿勢は、水平羽根１１が吹出口７を閉じている姿勢に対して概ね平行である。吹出口７から吹き出される気流に対して水平羽根１１の上面が直交する状態に水平羽根１１を迫出させることで、水平羽根１１の姿勢が図２３のようになる。水平羽根１１が吹出口７から吹き出される気流に対して直交する角度に保たれると、調和空気は水平羽根１１に当たって前方と左右方向だけでなく後方にも流れ、すなわち４方向に吹出し可能な状態となる。
【００８７】
図２３に示す状態は、吹出口７から吹き出される層流の吹出し方向に対して水平羽根１１の上面が垂直になる状態よりもやや前端部６ｄが下がった状態である。この状態では、水平羽根１１に当たって気流は弱められるが、調和空気の後方への流れは、ほとんど存在しないといえる状態か、あるいは極めて弱い状態である。図２３には後方に発生した極めて弱い気流が前方や左右方向に向いた矢印よりも小さな矢印で示されている。また、このとき、クロスフローファン９の回転数も下げて、吹出口７から吹き出させる風量を下げる。それにより、吹き出される調和空気の風量が少なくなって風速が弱くなるのに加え、水平羽根１１に調和空気を当てて風速を減少させることで人に空気の流れを感じ難くさせている。
【００８８】
図２３に示す状態では、ケーシング本体６と水平羽根１１との間にできる隙間が狭くなっている。それにより、左右方向すなわち左側面２ｂおよび右側面２ｃが面する方向への調和空気を吹き出す強さを、例えば図１８の冷房運転時の吹き出しに比べて強くし易くなる。この場合、図５に示すように、左側壁補助板１０ｅの一辺１４ｅや右側壁補助板１０ｆの一辺１４ｆが吹出通路１０の奥から傾斜を始めるように構成することで、より左右方向への吹出し量の増加がある。
【００８９】
（左右の風量の調節）
左右の風量の調節は、上述のように、主に垂直羽根１２の傾きによって行うことができる。また、図２４や図２５に示すように水平羽根１１を左に傾けたり、または図示を省略するが水平羽根１１を右に傾けたりすることにより、左右の風量の調節を行うことができる。その際に、左側壁補助板１０ｅと右側壁補助板１０ｆの一方のみを開いたり、それぞれの開く角度を変更したりすることにより、さらに左右の風量を細かく調整することができる。
【００９０】
＜第２実施形態＞
第２実施形態に係る空気調和装置の部分斜視図を図２６および図２７に示す。第２実施形態に係る空気調和装置１Ａが第１実施形態に係る空気調和装置１と異なるところは、室内機２Ａと室内機２との構成の違いにある。第１実施形態および第２実施形態の室内機２，２Ａ以外の構成は同じであるため、第２実施形態についてはこれらの説明を省略する。
【００９１】
第２実施形態に係る室内機２Ａは、ケーシング本体６Ａの長手方向長さとほぼ同じ長さの吹出口７Ａと水平羽根１１Ａを備えている。水平羽根１１Ａがケーシング本体６Ａの長手方向と同じ長さを有しているため、左側壁補助板（図２７には記載されていない）と右側壁補助板１０ｆＡは、水平羽根１１Ａが閉じているときは水平羽根１１Ａに覆われて隠れている。左側壁補助板と右側壁補助板１０ｆＡは移動し得るように構成されている。図２７には、右側壁補助板１０ｆＡが右方向外側に最も開いた状態が示されている。
【００９２】
右側壁補助板１０ｆＡは、回転軸２０ｆＡを中心に回動することができ、吹出口７Ａに収納された状態（図２８）と吹出口７Ａから突出した状態（図２９）を取ることができる。この右側壁補助板１０ｆＡは、回転軸２０ｆＡとは反対側に凸に湾曲しており、外面１５ｆＡだけでなく背面１８ｆＡが面する空間も吹出口７Ａに連通している。
【００９３】
＜吹出通路＞
室内機２Ａには、図３０および図３１に示されているように、クロスフローファン９Ａから吹出口７Ａに至る、ディフューザー構造の吹出通路１０Ａが設けられている。吹出通路１０Ａには、左側壁１０ａＡ、右側壁１０ｂＡ、後方案内面１０ｃＡ及び前方案内面１０ｄＡがある。吹出通路１０Ａの後方案内面１０ｃＡは、クロスフローファン９Ａの側に曲率中心を持つ滑らかな曲線を描いており、下方に向かうに従って曲率半径が大きくなる。そして、後方案内面１０ｃＡと前方案内面１０ｄＡとの間隔が吹出口７Ａに近づくほど大きくなり、吹出通路１０Ａの開口が吹出口７Ａに近づくほど大きくなる。また、クロスフローファン９Ａが、右側面から見て、時計回りに回転して送風し、その中心軸が室内機の背面の方に寄って配置されているので、吹出通路１０Ａは、底面の前方側に向けて斜めに形成される。そのため、吹出通路１０Ａから吹出口７Ａに向かう調和空気は、天面から底面の方に向く方向ベクトルと背面から前面の方に向く方向ベクトルとを有し、乱れの少ない層流になる。
【００９４】
図３０に示すように、室内機２Ａは、吹出口７Ａの左右に、左側壁１０ａＡと右側壁１０ｂＡを有し、これら左側壁１０ａＡと右側壁１０ｂＡおよび吹出口７Ａの近傍に左側壁補助板１０ｅＡと右側壁補助板１０ｆＡとを備えている。左側壁補助板１０ｅＡと右側壁補助板１０ｆＡは、可動し得るように構成されている。図３０には、左側壁補助板１０ｅＡと右側壁補助板１０ｆＡが吹出口７に対して略垂直に位置しているところが示されている。左側壁補助板１０ｅＡと右側壁補助板１０ｆＡが図３０の状態から移動してハ字形に開いているところが図３１に示されている。
【００９５】
図３０の状態では、左側壁補助板１０ｅＡの一辺１４ｅＡと右側壁補助板１０ｆＡの一辺１４ｆＡが、吹出通路１０Ａの奥において左側壁１０ａＡと右側壁１０ｂＡに密着するように配置されている。また、左側壁補助板１０ｅＡの一辺１９ｅＡと右側壁補助板１０ｆＡの一辺１９ｆＡが、吹出通路１０Ａの前方案内面１０ｄＡと後方案内面１０ｃＡにほぼ密着するように配置されている。そのため、このとき吹出通路１０Ａの幅Ｗ３は、左側壁補助板１０ｅＡと右側壁補助板１０ｆＡの間隔によって規定される。
【００９６】
一方、図３１に示す状態は、左側壁補助板１０ｅＡと右側壁補助板１０ｆＡがハ字形に開くだけでなく、左側壁補助板１０ｅＡの一辺１４ｅＡと右側壁補助板１０ｆＡの一辺１４ｆＡが吹出通路１０の左側壁１０ａＡと右側壁１０ｂＡから離れる。そして、左側壁補助板１０ｅＡの一辺１４ｅＡと右側壁補助板１０ｆＡの一辺１４ｆＡから吹出口７Ａまでの間の左側壁１０ａＡと右側壁１０ｂＡに沿って調和空気の気流が流れるようになる。そのため、吹出口７Ａの幅が広がる。つまり、図３０の状態の吹出口７Ａの幅Ｗ３＜図３１の状態の吹出口７Ａの幅Ｗ４、という関係が成り立つ。吹出口７Ａの幅Ｗ４が広がっている図３１の状態の方が、調和空気を左右方向へ広げて吹出し易くなる。また、図３１のように、ハ字形に左側壁補助板１０ｅＡと右側壁補助板１０ｆＡとが開くことによって、左側壁補助板１０ｅＡの外面１５ｅＡと右側壁補助板１０ｆＡの外面１５ｆＡとに沿って調和空気が吹き出される。それにより、左右方向に大幅に気流の幅を広げて広角に吹き出させることができる。一方、吹出口７Ａの幅Ｗ４が狭い図３０の状態の方が調和空気を前方に強く吹き出し易くなっている。
【００９７】
次に、図３２を用いて、右側壁補助板１０ｆＡの移動について説明する。以下の説明では、左側壁補助板１０ｅＡについての説明を省略するが、右側壁補助板１０ｆＡと左右対称の形状で左右対称に位置に取り付けられているので、右側壁補助板１０ｆＡの移動に対して左右対称になる左側壁補助板１０ｅＡの移動は、右側壁補助板１０ｆＡの説明から容易に理解される。
【００９８】
右側壁補助板１０ｆＡは、図３２に示すように、断面形状が吹出口７Ａの側に凸に湾曲している。右側壁補助板１０ｆＡは、外面１５ｆＡが吹出口７Ａに面し、背面１８ｆＡが面する空間が吹出口７Ａに連通している。そして、右側壁補助板１０ｆＡが回転軸２０ｆＡを中心に回動するよう構成されているため、図３２（ａ）に示す状態と図３２（ｂ）に示す状態を取ることができる。例えば、図３２（ａ）の状態から右側壁補助板１０ｆＡが回転軸２０ｆＡの周りを時計回りに回転すると図３２（ｂ）の状態になる。
【００９９】
図３２（ａ）に示す状態は、右側壁補助板１０ｆＡの外面１５ｆＡが吹出口７Ａに面して、右側壁補助板１０ｆＡの上部の一辺１４ｆＡが吹出通路１０Ａの右側壁１０ｂＡに密着している。そのため、吹出通路１０Ａの右側壁１０ｂＡに沿って調和空気の気流が流れずに、気流３７ｆは、吹出口７Ａにおいて真直ぐ前方へ向いている。また、図３２（ａ）の状態では、吹出通路１０Ａの奥に右側壁補助板１０ｆＡが収納されている。
【０１００】
図３２（ｂ）に示す状態は、右側壁補助板１０ｆＡの外面１５ｆＡが吹出口７Ａに面して、外面１５ｆＡが右側壁１０ｂＡから吹出口７Ａの長手方向外側に突出した状態になっている。そのため、吹出通路１０Ａの右側壁１０ｂＡに沿って流れてきた調和空気の気流３８ｆは、右側壁補助板１０ｆＡの背面１８ｆＡに沿って右へ誘導される。また、このとき、右側壁補助板１０ｆＡの背面１８ｆＡが面する空間は、吹出口７Ａに連通するように構成されている。そのため、右側壁補助板１０ｆＡの背面１８ｆＡの側には、吹出口７Ａから吹き出される調和空気が流れる。
【０１０１】
この回転軸２０ｆＡは、モータ（図示省略）によって駆動される。例えば、右側壁補助板１０ｆＡには、モータが力を発生していないときには、図３２（ａ）の状態に戻るように付勢されている。そして、モータによって時計回りのトルクが発生すると、図３１に示すように右側壁補助板１０ｆＡが開き、背面１８ｆＡの面する領域が吹出口７Ａに連通する。背面１８ｆＡが吹出口７Ａに面した状態で右側壁補助板１０ｆＡの一部がケーシング本体６Ａに突き当たって停止する。モータの電源が切られるまでは、モータで力が発生しているので付勢力によって図３２（ｂ）の状態に戻ることはないが、モータの電源が切られると付勢力によって図３２（ａ）の状態から図３２（ｂ）の状態に戻る。右側壁補助板１０ｆＡのモータや左側壁補助板１０ｅのモータ（図示省略）は、後述する制御部によって制御される。左側壁補助板１０ｅＡおよび右側壁補助板１０ｆＡと垂直羽根１２が似ているため、区別が難しく思われるかもしれない。しかし、左側壁補助板１０ｅＡおよび右側壁補助板１０ｆＡは、後方案内面１０ｃＡ及び前方案内面１０ｄＡにまで達しており、収納された状態で左側壁補助板１０ｅＡよりも左側および右側壁補助板１０ｆＡよりも右側に調和空気が流れない点で、垂直羽根１２とは異なる。そのため、左側壁補助板１０ｅＡおよび右側壁補助板１０ｆＡが開いたときに、それまで機能しなかった左側壁１０ａＡおよび右側壁１０ｂＡの吹出口７Ａ近傍の領域が機能を始める点も異なる。
【０１０２】
左側壁補助板１０ｅＡおよび右側壁補助板１０ｆＡと図２１に示した従来の側方風向板２１４との区別が難しく思われるかもしれない。しかし、左側壁補助板１０ｅＡおよび右側壁補助板１０ｆＡは、開いたときに、図２１に示す側方風向板２１４のように調和空気を遮ることなく調和空気の気流の方向を徐々に変えるところが、従来の側方風向板２１４と異なる。
【０１０３】
＜風向装置の構成および制御部＞
第２実施形態の風向装置の構成および制御部については、以上説明した水平羽根１１Ａの構造上の違い以外の垂直羽根１２およびそれらの駆動機構などは第１実施形態と同様であり、それらを制御する制御部についても第１実施形態の制御部５０と同様に構成される。
【０１０４】
＜側壁補助板と調和空気の気流＞
第２実施形態の水平羽根１１Ａと左側壁補助板１０ｅＡおよび右側壁補助板１０ｆＡとの位置関係が、第１実施形態の水平羽根１１と左側壁補助板１０ｅおよび右側壁補助板１０ｆとの位置関係と異なるので、互いに異なるところがある。しかし、従来と比較した場合には、図１８から図２５を用いて説明したような気流を発生する点では同じである。
【０１０５】
第２実施形態の室内機２Ａにおける調和空気の気流が、第１実施形態の室内機２と異なる点は、左側壁補助板１０ｅＡおよび右側壁補助板１０ｆＡがハ字形に開いているときに、左側壁補助板１０ｅＡの背面１８ｅＡおよび右側壁補助板１０ｆＡの背面１８ｆＡが面する領域を気流が通過するよう構成されているところである。また、左側壁補助板１０ｅＡおよび右側壁補助板１０ｆＡが収納されているときは、吹出口７Ａに近い左側壁１０ａＡおよび右側壁１０ｆＡの一部領域に沿って流れず、左側壁補助板１０ｅＡの外面１５ｅＡおよび右側壁補助板１０ｆＡの外面１５ｆＡに沿って流れ、ハ字形に開いたときにこの一部領域に流れるように構成されているところが異なる。
【０１０６】
＜変形例＞
（１）上記各実施形態では、壁掛け型の室内機２，２Ａの場合について説明したが、室内機のタイプは壁掛け型に限られるものではなく、据え置き型であってもよく、それ以外のタイプであってもよい。
【０１０７】
（２）上記各実施形態では、左側壁補助板１０ｅおよび右側壁補助板１０ｆで、図１１（ａ）の状態と図１１（ｂ）の状態とを切り替えている。しかし、左側壁補助板１０ｅおよび右側壁補助板１０ｆの状態が異なる領域を３つ以上にして、もっと多段階に切り替えるように構成してもよい。また、異なる領域の境目をなくして連続的に変更できるようにしてもよい。
【０１０８】
（３）上記第２実施形態では、左側壁１０ａＡと右側壁１０ｂＡが断面ハ字形に広がる場合について説明したが、湾曲しつつ広がってもよく、同様の効果を有する。また、第１実施形態では、左側壁１０ａＡと右側壁１０ｂＡが互いに平行に対向している場合について説明したが、第２実施形態のように広がるように構成することもできる。
【０１０９】
＜特徴＞
（ａ）
空気調和装置１，１Ａの室内機２，２Ａは、吹出通路１０，１０Ａを有するケーシング本体６，６Ａと左側壁補助板１０ｅ，１０ｅＡと右側壁補助板１０ｆ，１０ｆＡを備えている。吹出通路１０，１０Ａは、クロスフローファン９，９Ａで送風される調和空気を吹き出すための吹出口７，７Ａに接続されおり、左側壁１０ａ，１０ａＡ、右側壁１０ｂ，１０ｂＡ、後方案内面１０ｃ，１０ｃＡ及び前方案内面１０ｄ、１０ｄＡを有している。
【０１１０】
左側壁補助板１０ｅ，１０ｅＡは、左側壁１０ａ，１０ａＡの近傍に配置され、右側壁補助板１０ｆ，１０ｆＡは、右側壁１０ｂ，１０ｂＡの近傍に配置される。図５、図７、図９および図１０並びに図２９に示されているように、左側壁補助板１０ｅ，１０ｅＡおよび右側壁補助板１０ｆ，１０ｆＡが、開いて外面１５ｅ，１５ｅＡ，１５ｆ，１５ｆＡ（誘導面）がハ字形に配置される状態（広角吹出し状態）と、図４、図６、図８および図２８に示されているように、左側壁補助板１０ｅ，１０ｅＡおよび右側壁補助板１０ｆ，１０ｆＡが収納されている状態（通常吹出し状態）とを取り得る。
【０１１１】
広角吹出し状態では、この外面１５ｅ，１５ｅＡ，１５ｆ，１５ｆＡに沿って調和空気が誘導される。それにより、吹出口７，７Ａから吹き出される調和空気を、吹出口７，７Ａの長手方向（左右方向）に広げることができる。吹き出す角度を広角にするため、従来のように風向板で遮って異なる気流の塊を発生させる場合と比較して、全体に均一に気流を発生させることができる。その際、左側壁補助板１０ｅ，１０ｅＡおよび右側壁補助板１０ｆ，１０ｆＡの外面１５ｅ，１５ｅＡ，１５ｆ，１５ｆＡが、左側壁１０ａ，１０ａＡと右側壁１０ｂ、１０ｂＡから左右方向外側に突出してハ字形に開くことで、乱流などの発生をさせることなく、気流の向きを大幅に均一に変更することができる。この外面１５ｅ，１５ｅＡ，１５ｆ，１５ｆＡが吹出口７，７Ａに向かって凸状に湾曲している。そのため、外面１５ｅ，１５ｅＡ，１５ｆ，１５ｆＡが平面で有る場合に比べて、吹出口７，７Ａから吹き出される調和空気を吹出口７，７Ａから離れるに従って、より大きく左右方向に曲げてスムーズに広げることができる。凸状に湾曲させることにより、同じ大きさの左側壁補助板および右側壁補助板を使うのであれば効率よく気流を広げることができることになり、同じ程度に気流を広げるのであれば補助板のコンパクト化が図れることになる。
【０１１２】
（ｂ）
左側壁補助板１０ｅおよび右側壁補助板１０ｆが図５、図７、図９、図１０および図１１（ｂ）に示すようにハ字形に開いている状態で、左側壁補助板１０ｅの背面１８ｅおよび右側壁補助板１０ｆの背面１８ｆの面する空間は、吹出口７と連通しない。吹出口７から吹き出されて左側壁補助板１０ｅと右側壁補助板１０ｆの周囲を流れる調和空気は、吹出口７に連通しない背面側を流れることがないため、水平羽根１１で十分に気流が制御される。そのため、調和空気の気流の制御が容易になる。
【０１１３】
一方、左側壁補助板１０ｅＡおよび右側壁補助板１０ｆＡが図２７、図２９および図３２（ｂ）に示すようにハ字形に開いている状態で、左側壁補助板１０ｅＡの背面１８ｅＡおよび右側壁補助板１０ｆＡの背面１８ｆＡの面する空間は、吹出口７Ａと連通する。吹出口７Ａから吹き出されて左側壁補助板１０ｅＡと右側壁補助板１０ｆＡの周囲を流れる調和空気は、吹出口７Ａに連通する背面側を流れるため、左右方向により多くの気流を誘導することができる。この場合、左側壁補助板１０ｅＡおよび右側壁補助板１０ｆＡの先端で外面１５ｅＡ，１５ｆＡと背面１８ｅＡ，１８ｆＡに沿って流れてきた調和空気が合流する。そのため、従来の風向板のように異なる気流の塊が発生することがないので、均一に調和空気を広げて吹き出させることができる。
【０１１４】
（ｃ）
図１０および図１１から分かるように、右側壁補助板１０ｆの断面形状がく字形に折れ曲がって成形され、左側壁補助板１０ｅの断面形状が逆く字形に折れ曲がって成形されている。それにより、左側壁補助板１０ｅおよび右側壁補助板１０ｆが、外面１５ｅＡ，１５ｆＡ（誘導面）に２つの領域即ち第１の領域１５ｅａ，１５ｆａと第２の領域１５ｅｂ，１５ｆｂを持つ。そして、左側壁補助板１０ｅおよび右側壁補助板１０ｆは、回転軸２０ｅ，２０ｆを中心に回転することができ、第１の領域１５ｅａ，１５ｆａが吹出口７に面するようにするか、第２の領域１５ｅｂ，１５ｆｂが吹出口７に面するようにするかを、回転することによって切り替えることができる。
【０１１５】
第１の領域１５ｅａ，１５ｆａが吹出口７に面しているときは、第１の領域１５ｅａ，１５ｆａが左側壁１０ａや右側壁１０ｂに対してほぼ面一になっているため、左側壁１０ａや右側壁１０ｂに沿って送られてきた調和空気をそのまま真直ぐに前方に吹き出させることができる。第２の領域１５ｅｂ，１５ｆｂが吹出口７に面しているときは、第２の領域１５ｅｂ，１５ｆｂが左側壁１０ａや右側壁１０ｂに対して角度を有し、吹出口７の方に向かって凸状に湾曲している。そのため、左側壁１０ａや右側壁１０ｂに沿って送られてきた調和空気を左右方向に広げて吹き出させ易くなっている。
【０１１６】
このように、形状の異なる第１の領域１５ｅａ，１５ｆａと第２の領域１５ｅｂ，１５ｆｂを持ち、それを切り替えられるようにすることで、調和空気の気流の調整を行い易くなる。
【０１１７】
第１の領域１５ｅａ，１５ｆａが吹出口７に面している場合（図１１（ａ）参照）には、第２の領域１５ｅｂ，１５ｆｂは、化粧パネル６ａに沿って収納されており、化粧パネル６ａと面一になっている。それにより、左側壁補助板１０ｅと右側壁補助板１０ｆとを収納スペースを省いて、コンパクトに収納することができ、また室内機２の外観も、左側壁補助板１０ｅと右側壁補助板１０ｆが化粧パネル６ａの一部とみなせ、すっきりとして機能的な美しさを呈する。
【０１１８】
左側壁補助板１０ｅと右側壁補助板１０ｆは、第１の領域１５ｅａ，１５ｆａと第２の領域１５ｅｂ，１５ｆｂの切換を回転軸２０ｅ，２０ｆを中心に回転することによって行っている。この回転軸２０ｅ，２０ｆは、図１１（ｃ）に示すように、回転軸２０ｅ，２０ｆの軸方向から見たときに、左側壁補助板１０ｅと右側壁補助板１０ｆの２つの辺１６ｅ，１６ｆと辺１７ｅ，１７ｆを結ぶ直線２２よりも左側壁補助板１０ｅと右側壁補助板１０ｆの側に配置される。それにより、回転したときの左側壁補助板１０ｅと右側壁補助板１０ｆの軌跡が小さくなり、室内機２のコンパクト化が容易になる。特に、図１１（ｃ）に示すように、通常吹出し状態にあるときの位置と広角吹出し状態にあるときの位置とが、斜線部２１で重なるように構成することで、コンパクト化がより容易になる。
【符号の説明】
【０１１９】
１，１Ａ，空気調和装置
２，２Ａ  室内機
６，６Ａ  ケーシング本体
７，７Ａ  吹出口
１０，１０Ａ  吹出通路
１０ａ，１０ａＡ  左側壁
１０ｂ、１０ｂＡ  右側壁
１０ｅ，１０ｅＡ  左側壁補助板
１０ｆ，１０ｆＡ  右側壁補助板
１１，１１Ａ  水平羽根
１２  垂直羽根
【先行技術文献】
【特許文献】
【０１２０】
【特許文献１】特開平８−１３６０４２号公報
【図１】
2011094877.tif 000003
【図２】
2011094877.tif 000004
【図３】
2011094877.tif 000005
【図４】
2011094877.tif 000006
【図５】
2011094877.tif 000007
【図６】
2011094877.tif 000008
【図７】
2011094877.tif 000009
【図８】
2011094877.tif 000010
【図９】
2011094877.tif 000011
【図１０】
2011094877.tif 000012
【図１１】
2011094877.tif 000013
【図１２】
2011094877.tif 000014
【図１３】
2011094877.tif 000015
【図１４】
2011094877.tif 000016
【図１５】
2011094877.tif 000017
【図１６】
2011094877.tif 000018
【図１７】
2011094877.tif 000019
【図１８】
2011094877.tif 000020
【図１９】
2011094877.tif 000021
【図２０】
2011094877.tif 000022
【図２１】
2011094877.tif 000023
【図２２】
2011094877.tif 000024
【図２３】
2011094877.tif 000025
【図２４】
2011094877.tif 000026
【図２５】
2011094877.tif 000027
【図２６】
2011094877.tif 000028
【図２７】
2011094877.tif 000029
【図２８】
2011094877.tif 000030
【図２９】
2011094877.tif 000031
【図３０】
2011094877.tif 000032
【図３１】
2011094877.tif 000033
【図３２】
2011094877.tif 000034